(57)【要約】【課題】時間の経過とともに永久歪によりカバーリップのラップ量が失われることがなく、良好な成形性を有するガラスランを提供する。【解決手段】ガラスランの本体は、車外側側壁と車内側側壁と底壁とからなる断面略コ字状をなし、車外側側壁と車内側側壁には、それぞれ断面コ字状の本体の内側に向かって延出する車外側シールリップと車内側シールリップを有し、車外側側壁と車内側側壁の先端から外面に沿って延出する車外側カバーリップと車内側カバーリップを有し、車外側側壁と車外側カバーリップの間に形成された車外側収納溝と車内側側壁と車内側カバーリップの間に形成された車内側収納溝を有し、車外側または車内側カバーリップは、収納溝側の面に、カバーリップを形成する基材よりも可塑剤の含有率が大きい材料からなるパネル側被覆層が形成されている。【選択図】図６
2018095032.tif 000002
【特許請求の範囲】
【請求項１】
自動車ドアのドアフレームの内周に取付け、ドアガラスの昇降を案内する自動車用ガラスランにおいて、
前記ガラスランの本体は、車外側側壁と車内側側壁と底壁とからなる断面略コ字状をなし、前記車外側側壁と車内側側壁には、それぞれ断面コ字状の前記本体の内側に向かって延設された車外側シールリップと車内側シールリップを有し、前記車外側側壁と前記車内側側壁の先端から外面に沿って延出する車外側のカバーリップと車内側のカバーリップを有し、前記車外側側壁と前記車外側のカバーリップの間に形成された車外側のフランジ収納溝と前記車内側側壁と前記車内側のカバーリップの間に形成された車内側のフランジ収納溝を有し、
車外側または車内側の前記カバーリップは、前記フランジ収納溝側の面に、前記カバーリップを形成する基材よりも可塑剤の含有率が大きい材料からなるパネル側被覆層が形成されていることを特徴とするガラスラン。
【請求項２】
車外側および車内側の前記カバーリップは、一端が前記車外側側壁および前記車内側側壁と連結するカバーリップ底壁部と、前記底壁部の他端側に連結するカバーリップ本体部から形成され、前記パネル側被覆層が、前記カバーリップ本体部の前記フランジ収納溝側の面の前記カバーリップ底壁部に隣接して形成されていることを特徴とする請求項１に記載のガラスラン。
【請求項３】
前記パネル側被覆層が、前記カバーリップ本体部の前記フランジ収納溝側の面と、前記カバーリップ底壁部の前記フランジ収納溝の溝底面とに跨って形成されていることを特徴とする請求項１に記載のガラスラン。
【請求項４】
前記パネル側被覆層の前記カバーリップ本体部の前記フランジ収納溝側の面と、前記カバーリップ底壁部の前記フランジ収納溝の前記溝底面との連結部には、凹部が形成されていることを特徴とする請求項３に記載のガラスラン。
【発明の詳細な説明】
【技術分野】
【０００１】
本発明は、自動車ドアのドアフレームの内周に取付け、ドアガラスの昇降を案内するガラスランに関するものである。
【背景技術】
【０００２】
自動車のドアの昇降式ウインドガラスは、ドアサッシュ部に取付けられるガラスランによって、その外周縁がシールされている。このようなガラスランとしては、図１に示すようなものが従来から知られている。（例えば、特許文献１参照。）このガラスラン１００は、断面略Ｕ字形状の本体部１０１が、ドアサッシュ部１１０に設けられた互いに対向する一対のフランジ１１１，１１２間に挟持固定された構造となっており、本体部１０１の車外側側壁１０２と、この車外側側壁１０２の先端から突出した車外側のカバーリップ１０３によって、車外側フランジ１１１が収容されているとともに、本体部１０１の車内側側壁１０４と、この車内側側壁１０４の先端から突出した車内側のカバーリップ１０５によって、車内側フランジ１１２が収容されている。
【０００３】
カバーリップを有するガラスランにおいて、ドアパネル形状のバラツキやガラスが車外側シールリップを押す力などでカバーリップ先端に浮きが発生することがあり、外観不具合や風切音不具合の発生要因となっている。この現象を防止するために、カバーリップ先端を室内側に曲げてドアパネルとのラップ量を増やす方法も考えられるが、この場合には、カバーリップとガラスラン本体部との隙が小さくなってしまうため、車両への組付性が低下してしまう。また、カバーリップのラップ量を増やしても、時間の経過とともに永久歪により初期のラップ量が失われてしまい、カバーリップ先端の浮きが発生しやすくなる。
【０００４】
そのため、図２に示すように、ドアサッシュ部に設けられた互いに対向する一対のフランジ２１１，２１２間に取付けられ、フランジ２１１に沿った車外側側壁２０１と車外側側壁２０１の先端から突出する車外側のカバーリップ２０２とからなる断面略Ｕ字形状のフランジ収容溝２０５を有し、フランジ２１２に沿った車内側側壁２０３と車内側側壁２０３の先端から突出する車内側のカバーリップ２０４とからなる断面略Ｕ字形状のフランジ収容溝２０６を有し、フランジ収容溝２０５，２０６にはフランジ収容溝２０５，２０６の各底部に離間して対向する橋掛け部２０７が形成されたものがある。（例えば、特許文献２参照。）
しかし、フランジ収容溝２０５，２０６の底部と橋掛け部２０７の成形が難しいことに加えて、初期状態では効果があるものの、橋掛け部２０７もまた時間の経過とともに、永久歪により意匠リップを引き付ける力が弱くなりラップ量は失われてしまう。
【先行技術文献】
【特許文献】
【０００５】
【特許文献１】実開平３−２６６１６号公報
【特許文献２】特開２００２−２０５５５０号公報
【発明の概要】
【発明が解決しようとする課題】
【０００６】
本発明は、上述の課題を解決するものであり、時間の経過とともに永久歪によりカバーリップのラップ量が失われることがなく、良好な成形性を有するガラスランを提供することを目的とする。
【課題を解決するための手段】
【０００７】
請求項１の本発明は、自動車ドアのドアフレームの内周に取付け、ドアガラスの昇降を案内する自動車用ガラスランにおいて、
ガラスランの本体は、車外側側壁と車内側側壁と底壁とからなる断面略コ字状をなし、車外側側壁と車内側側壁には、それぞれ断面コ字状の本体の内側に向かって延設された車外側シールリップと車内側シールリップを有し、車外側側壁と車内側側壁の先端から外面に沿って延出する車外側のカバーリップと車内側のカバーリップを有し、車外側側壁と車外側のカバーリップの間に形成された車外側のフランジ収納溝と車内側側壁と車内側のカバーリップの間に形成された車内側のフランジ収納溝を有し、
車外側または車内側カバーリップは、フランジ収納溝側の面に、カバーリップを形成する基材よりも可塑剤の含有率が大きい材料からなるパネル側被覆層が形成されているガラスランである。
【０００８】
請求項１の発明によれば、車外側のカバーリップまたは車内側のカバーリップのフランジ収納溝側の面に形成されたパネル側被覆層から、カバーリップの基材に可塑剤が移行することにより、パネル側被覆層が収縮するとともに、パネル側被覆層周辺のカバーリップの基材が膨張して、カバーリップ全体はパネル側被覆層が形成されている面側が凹形状となる方向に湾曲変形する。このため、車外側のカバーリップや車内側のカバーリップはドアアウタパネルやドアインナパネル側に湾曲して、カバーリップの先端の浮きを抑制することができる。
【０００９】
請求項２の本発明は、車外側および車内側のカバーリップは、一端が車外側および車内側側壁と連結するカバーリップ底壁部と、カバーリップ底壁部の他端側に連結するカバーリップ本体部から形成され、パネル側被覆層が、カバーリップ本体部のフランジ収納溝側の面のカバーリップ底壁部に隣接して形成されているガラスランである。この発明によれば、パネル側被覆層は、カバーリップ底壁部とカバーリップ本体部が連結することにより拘束をうけるため、可塑剤の移行による湾曲変形はパネル側被覆層の先端側で顕著に現れることになり、カバーリップの先端の浮きを効果的に抑制することができる。
【００１０】
請求項３の本発明は、パネル側被覆層が、カバーリップ本体部のフランジ収納溝側の面と、カバーリップ底壁部のフランジ収納溝の溝底面とに跨って形成されているガラスランである。この発明によれば、カバーリップ本体部のフランジ収納溝側の面と、カバーリップ底壁部のフランジ収納溝の溝底面とに跨ってパネル側被覆層が形成されることにより、可塑剤の移行によるパネル側被覆層の湾曲変形はカバーリップ本体部とカバーリップ底壁部との角度を小さくする方向の変形が加わることになる。このため、より一層、カバーリップの先端の浮きを効果的に抑制することができる。
【００１１】
請求項４の本発明は、パネル側被覆層のカバーリップ本体部のフランジ収納溝側の面と、カバーリップ底壁部のフランジ収納溝の溝底面との連結部に、凹部が形成されているガラスランである。この発明によれば、パネル側被覆層のコーナー部に凹部を形成することにより、可塑剤の移行によるパネル側被覆層の湾曲変形は、パネル側被覆層の凹部周方向と径方向との複合的な収縮変形が加わることになる。このため、より一層、カバーリップの先端の浮きを効果的に抑制することができる。
【発明の効果】
【００１２】
車外側のカバーリップまたは車内側のカバーリップのフランジ収納溝側の面に形成されたパネル側被覆層から、カバーリップの基材に可塑剤が移行することにより、パネル側被覆層が収縮するとともに、パネル側被覆層周辺のカバーリップの基材が膨張する。このため、車外側のカバーリップや車内側のカバーリップはドアアウタパネルやドアインナパネル側に湾曲してカバーリップの先端の浮きを抑制することができる。
【図面の簡単な説明】
【００１３】
【図１】従来の他のガラスランを装着した状態の断面である。
【図２】従来の他のガラスランを装着した状態の断面である。
【図３】自動車ドアの正面図である。
【図４】本発明の実施の形態であるガラスランの正面図である。
【図５】本発明の第1の実施形態を示す断面図である。
【図６】本発明の第２の実施形態を示す断面図である。
【発明を実施するための形態】
【００１４】
以下、本発明の第一実施形態を図面に基づいて説明する。図３は自動車のフロントドア１のドアフレーム２に取付けるフロントドアのガラスラン１０の正面図である。図３に示すように、ドア１の上部にはドアフレーム２が設けられ、ドアガラス５が昇降自在に取付けられる。ドアフレーム２の内周にはガラスラン１０が取付けられ、ドアガラス５の昇降を案内するとともにドアガラス５とドアフレーム２との間をシールしている。
ガラスラン１０は図４に示すように、全体として押出成形で形成された直線状部１１と、ドアフレーム２のコーナー部２ｂに取付けられ、上記直線状部１１を接続し型成形で形成されるコーナー部１２からなる。
【００１５】
以下に、フロント側のドア１の上辺部に装着されるガラスラン１０を例にとり説明をする。
図５は本発明の第1実施形態であるプレスドアタイプのドアフレーム２の上辺部に取付けられたガラスラン１０の図３のＡ−Ａ線に沿った断面図である。まず、本発明の実施の形態であるガラスラン１０の構成について説明する。
【００１６】
ドアフレーム２の上辺部に取付けられるガラスラン１０の直線状部１１の断面形状は、図５に示すように、ガラスラン１０の本体が車外側側壁２０と車内側側壁３０と底壁４０とから断面コ字状に形成されている。ガラスラン１０の本体は、上辺部に取付けられる部分も縦辺部に取付けられる部分も、基本的にはほぼ同様な断面略コ字状の断面形状を有している。車外側側壁２０と車内側側壁３０のそれぞれの先端の内側から車外側シールリップ２１と車内側シールリップ３１が、ガラスラン１０の本体の断面略コ字状の内側に向けて延設されている。車外側シールリップ２１と車内側シールリップ３１により、ドアガラス５の先端部の両側面を保持する。また、ドアガラス５の昇降に応じて、車外側シールリップ２１と車内側シールリップ３１がドアガラス５の両側面に当接して、ドアガラス５の昇降をガイドするとともにドアフレーム２とドアガラス５との間のシールをすることができる。
【００１７】
車外側および車内側のカバーリップ２２，３２は一端が車外側側壁２０および車内側側壁３０と連結するカバーリップ底壁部２８，３８と、底壁部２８，３８の他端側に連結するカバーリップ本体部２９，３９とから形成されている。車外側側壁２０と車内側側壁３０のそれぞれの先端の外側から、それぞれ車外側のカバーリップ２２と車内側のカバーリップ３２が、各々車外側側壁２０と車内側側壁３０に沿って断面略コ字状を形成するように延設されている。このため、ドアフレーム２のドアアウタパネル２ｃとドアインナパネル２ｄの先端を車外側および車内側のカバーリップ２２，３２で覆い、見栄えを良くするとともに、車外側側壁２０と車外側のカバーリップ２２でドアアウタパネル２ｃの先端を挟持し、車内側側壁３０と車内側のカバーリップ３２でドアインナパネル２ｄの先端を挟持して、ガラスラン１０をドアフレーム２に保持することができる。
【００１８】
車外側シールリップ２１と車内側シールリップ３１のドアガラス５との摺動表面には、車外側シールリップ低摺動層２３と車内側シールリップ低摺動層３３が形成されている。このような構成とすることで、ドアガラス５がガラスラン１０の本体内に進入し摺動しても、車外側シールリップ２１および車内側シールリップ３１とドアガラス５との摺動抵抗を減少させることができ、ドアガラス５のスムースな昇降を維持することができる。また、ガラスラン１０の断面コ字状の本体の内面には、車外側シールリップ２１と車内側シールリップ３１に設けられている摺動層と同様に摺動層を形成することが望ましい。
【００１９】
車外側側壁２０は車外側連結部２４で、車内側側壁３０は車内側連結部３４とそれぞれ底壁４０と連結されている。車外側連結部２４と車内側連結部３４は、容易に屈曲できるように、車外側側壁２０，車内側側壁３０および底壁４０よりも薄い肉厚で形成されている。そのため、製造時に車外側側壁２０と車内側側壁３０が底壁４０とハ字形に開いて形成されても、ドアフレーム２に取付けるときに、車外側側壁２０および車内側側壁３０と底壁４０との間が撓み易く取付けが容易になる。車外側側壁２０と車内側側壁３０の外面には、車外側保持リップ２５および車内側保持リップ３５がそれぞれ形成され、ドアアウタパネル２ｃとドアインナパネル２ｄの先端に形成されている屈曲部に係止されている。
【００２０】
車外側のカバーリップ２２と車外側側壁２０との間にはドアアウタパネル２ｃを収納する車外側のフランジ収納溝２６が形成されており、車外側のカバーリップ本体部２９のフランジ収納溝２６側の面には車外側のカバーリップ２２のパネル側被覆層２７が形成されている。車内側のカバーリップ３２と車内側側壁３０との間にもドアインナパネル２ｄを収納する車内側のフランジ収納溝３６が形成されており、車内側のカバーリップ本体部３９のフランジ収納溝３６側の面には車内側のカバーリップ３２のパネル側被覆層３７が同様に形成されている。
【００２１】
パネル側被覆層２７，３７を形成する材料は、車外側のカバーリップ２２および車内側のカバーリップ３２を形成する基材よりも可塑剤を多く含有する材料で形成されている。車外側のカバーリップ本体部２９のフランジ収納溝２６側の面に、車外側のカバーリップ２２の基材よりも可塑剤含有率の多いパネル側被覆層２７を形成することで、時間の経過とともにパネル側被覆層２７を形成する材料から車外側のカバーリップ２２の基材へ可塑剤の移行がおきる。この可塑剤の移行にともない、車外側のカバーリップ２２を形成する基材部分は膨張して大きくなり、パネル側被覆層２７は収縮して小さくなる。このため、車外側のカバーリップ２２はドアアウタパネル２ｃ側に湾曲して、車外側のカバーリップ２２の先端の浮き現象が抑制される。車内側のカバーリップ３２も同様である。なお、本実施例においてパネル側被覆層２７，３７は、車外側のカバーリップ２２および車内側のカバーリップ３２の、それぞれのカバーリップ本体部２９，３９の収容溝２６，３６側の全面に形成されているが、カバーリップ本体部２９，３９の先端側の一部あるいは溝底部側の一部でも良いし、中間部にのみ形成されていても良い。
【００２２】
この車外側のカバーリップ２２および車内側のカバーリップ３２を形成する材料とパネル側被覆層２７，３７を形成する材料の可塑剤含有率の差は、１〜１０％であることが好ましく、より好ましくは２〜５％であることが好ましい。可塑剤の含有率の差が１％未満であると、可塑剤の移行量が少ないため十分な湾曲量が得られない。また、可塑剤の含有率の差が１０％を超えると、十分な湾曲量は得られるものの移行量が多すぎるために、車外側のカバーリップ２２および車内側のカバーリップ３２の外側（意匠面側）に可塑剤が滲出して、外観や触感を損なう場合がある。
【００２３】
次に本発明の第２実施形態について図６を参照して詳しく説明する。ただし、上述した第1実施形態と重複する部分については、同一の部材名称、同一の符号を用いる等してその詳細な説明を省略するとともに、以下に第1実施例と相違する部分を中心として説明する。
【００２４】
車外側のカバーリップ２２と車外側側壁２０との間にはドアアウタパネル２ｃを収納する車外側のフランジ収納溝２６が形成されており、車外側のカバーリップ底壁部４８のフランジ収納溝２６側の面と、車外側のカバーリップ２２本体部４９のフランジ収納溝２６側の面との両方に跨って、車外側のカバーリップ２２のパネル側被覆層４７が形成されている。また、車外側のカバーリップ底壁部４８と車外側のカバーリップ本体部４９との連結部には、車外側のカバーリップ２２のパネル側被覆層４７のカバーリップ本体部４９側のカバーリップ底壁部４８に隣接する位置に、車外側のフランジ収納溝２６の空間を広げる凹部６０が形成されている。車内側のカバーリップ３２と車内側側壁２０との間にはドアインナパネル２ｄを収納する車内側のフランジ収納溝３６が形成されており、車内側のカバーリップ底壁部５８のフランジ収納溝３６側の面と、車内側のカバーリップ本体部５９のフランジ収納溝３６側の面との両方に跨って、車内側のカバーリップ３２のパネル側被覆層５７が形成されている。また、車内側のカバーリップ底壁部５８と車内側のカバーリップ本体部５９との連結部には、車外側のカバーリップ２２のパネル側被覆層４７のカバーリップ本体部４９側のカバーリップ底壁部４８に隣接する位置に、車内側のフランジ収納溝３６の空間を広げる凹部６１が形成されている。
【００２５】
パネル側被覆層４７，５７を形成する材料は、車外側のカバーリップ２２および車内側のカバーリップ３２を形成する基材よりも可塑剤を多く含有する材料で形成されている。車外側のカバーリップ２２の車外側のフランジ収納溝２６側の面に可塑剤含有率の多い車外側のパネル側被覆層４７を形成することで、時間の経過とともに車外側のパネル側被覆層４７を形成する材料から車外側のカバーリップ２２の基材へ可塑剤の移行がおきる。この可塑剤の移行にともない、車外側のカバーリップ２２を形成する基材部分は膨張して大きくなり、車外側のパネル側被覆層４７は収縮して小さくなる。このため、車外側のカバーリップ２２はドアアウタパネル２ｃ側に湾曲して、車外側のカバーリップ２２の先端の浮き現象が抑制される。車内側のカバーリップ３２も同様である。
【００２６】
また、車外側のカバーリップ底壁部４８と車外側のカバーリップ本体部４９との連結部に凹部６０を形成することで、可塑剤の移行による凹部６０における車外側のパネル側被服層４７の収縮は、凹部６０が周方向および径方向ともに複合して収縮するため、より一層車外側のカバーリップ２２がドアアウタパネル２ｃ側に倒れ込み、車外側のカバーリップ２２の先端の浮き現象が抑制される。車内側のカバーリップ３２も同様である。なお、本実施例において車外側のパネル側被覆層４７に形成された凹部６０は、車外側のカバーリップ本体部４９側のカバーリップ底壁部４８との隣接部に形成されているが、カバーリップ底壁部４８側あるいはカバーリップ本体部４９とカバーリップ底壁部４８の両方に跨って形成されても良い。車内側のパネル側被覆層５７に形成された凹部６１も凹部６０と同様である。
【産業上の利用可能性】
【００２７】
実施形態では、ガラスランの本体部および車外側のカバーリップ、車内側のカバーリップを熱可塑性エラストマーのスポンジ材料、パネル側被覆層を熱可塑性エラストマーのソリッド材料としたが、可塑剤含有率が異なっていればよく、スポンジ材料とスポンジ材料の組み合わせでも、ソリッド材料とソリッド材料との組み合わせでも良い。また、熱可塑性エラストマーに限らずゴム材料を用いることもできる。
【符号の説明】
【００２８】
１        フロントドア
２        ドアフレーム
２ｂ      コーナー部
２ｃ      ドアアウタパネル
２ｄ      ドアインナパネル
５        ドアガラス
１０      ガラスラン
１１      直線状部
１２      コーナー部
２０      車外側側壁
２１      車外側シールリップ
２２      カバーリップ
２３      車外側シールリップ低摺動層
２４      車外側連結部
２５      車外側保持リップ
２６      フランジ収納溝
２７      パネル側被覆層
２８      カバーリップ底壁部
２９      カバーリップ本体部
３０      車内側側壁
３１      車内側シールリップ
３２      カバーリップ
３３      車内側シールリップ低摺動層
３４      車内側連結部
３５      車内側保持リップ
３６      フランジ収納溝
３７      パネル側被覆層
３８      カバーリップ底壁部
３９      カバーリップ本体部
４０      底壁
４７      パネル側被覆層
４８      カバーリップ底壁部
４９      カバーリップ本体部
６０      凹部
５７      パネル側被覆層
５８      カバーリップ底壁部
５９      カバーリップ本体部
６１      凹部
１００    ガラスラン
１０１    本体部
１０２    車外側側壁
１０３    カバーリップ
１０４    車内側側壁
１０５    カバーリップ
１１０    ドアサッシュ部
１１１    車外側フランジ
１１２    車内側フランジ
２０１    車外側側壁
２０２    カバーリップ
２０３    車外側側壁
２０４    カバーリップ
２０５    フランジ収容溝
２０６    フランジ収容溝
２０７    橋掛け部
２１１    車外側フランジ
２１２    車内側フランジ
【図１】
2018095032.tif 000003
【図２】
2018095032.tif 000004
【図３】
2018095032.tif 000005
【図４】
2018095032.tif 000006
【図５】
2018095032.tif 000007
【図６】
2018095032.tif 000008